(57)【要約】      （修正有）【課題】ＬＥＤ灯杯体の防水組み立て構造を提供する。【解決手段】ＬＥＤ灯杯体の防水組み立て構造であって、導熱基板１と、ＬＥＤユニット２と、灯杯殻体３と、透光灯マスク４と、を含む。灯杯殻体が導熱基板又は透光灯マスクとの間の組み立て、分解において、いずれも比較的容易であると同時に、灯杯殻体又は透光灯マスクを介して、外から内向きに環フックを呈するように構成する。灯杯殻体を導熱基板１又は透光灯マスクと環フックした後、微小な逆回転が発生することにより相互間を緊迫させる第１、第２防水パッドが緊迫される力が減少し、隙間が発生する等の問題が生じることがなく、水分の侵入を効率的に防止し、良好な防水効果を達成する。【選択図】図２
0003153413.tif 000002
【実用新案登録請求の範囲】
【請求項１】
導熱基板と、ＬＥＤユニットと、灯杯殻体と、透光灯マスクとを含み、
該導熱基板は、その一表面上に環状を呈する固定ソケットを凸設し、該固定ソケット末端周囲の辺縁外側向きに第１外環凸部を延伸し、該第１外環凸部上面に第１緊密接合面を有し、且つ該第１外環凸部上に複数の凹溝を設けてなり、
該ＬＥＤユニットは、該固定ソケット内に位置し、該導熱基板と貼付される回路板と、該回路板上に設けられる複数の発光ダイオードとを含み、
該灯杯殻体は、その内が中空を呈し、且つ二端が開口状であり、該灯杯殻体一端辺縁は、下向きに環頸部を延伸し、該環頸部内縁上に内向きに突出する第１内環凸部を形成し、該第１内環凸部底面に第１緊密接合面を有し、該環頸部末端周囲の辺縁上に内側向きに複数の凸塊を凸設し、該環頸部の複数の凸塊は、該第１外環凸部の複数の凹溝と相対し、該第１内環凸部との間に第１間隔を形成し、該第１外環凸部は、前記第１間隔内で環フックし、且つ該第１外環凸部の第１緊密接合面と該第１内環凸部の第１緊密接合面の間に第１防水パッドを設けてなり、
該透光灯マスクは、レンズと、該レンズ周囲に設けるフレーム部と、を有し、該フレーム部内縁上に内向きに突出する第２内環凸部を形成し、該第２内環凸部底面に第２緊密接合面を有し、且つ該フレーム部末端周囲の辺縁上に内側向きに複数の凸塊を凸設し、該フレームの複数の凸塊が該第２内環凸部との間に第２間隔を形成してなり、
そのうち、該灯杯殻体の他端は外側に向かって第２外環凸部を延伸し、該第２外環凸部上面に第２緊密接合面を有し、且つ該第２外環凸部上に複数の凹溝を設け、上記フレーム部の複数の凸塊は、該第２外環凸部の複数の凹溝と相応し、該第２外環凸部は、前記第２間隔内に環フックし、且つ該第２外環凸部の第２緊密接合面は、該第２内環凸部の第２緊密接合面との間に第２防水パッドを設けることを特徴とするＬＥＤ灯杯体の防水組み立て構造。
【請求項２】
前記導熱基板は、実心板であることを特徴とする請求項１記載のＬＥＤ灯杯体の防水組み立て構造。
【請求項３】
前記導熱基板は、内が真空を呈し且つ作動流体を有する均一温度板であることを特徴とする請求項１記載のＬＥＤ灯杯体の防水組み立て構造。
【請求項４】
前記第１外環凸部の第１緊密接合面上に溝を凹設し、且つ該第１防水パッドは、該溝内に緊迫することを特徴とする請求項１記載のＬＥＤ灯杯体の防水組み立て構造。
【請求項５】
前記第２外環凸部の第２緊密接合面上に溝を凹設し、且つ該第２防水パッドは、該第２外環凸部の第２緊密接合面上の溝内に緊迫することを特徴とする請求項１記載のＬＥＤ灯杯体の防水組み立て構造。
【請求項６】
前記第２内環凸部上に環状凸縁を凸設し、該環状凸縁上面に該第２内環凸部の第２緊密接合面を形成し、且つ該環状凸縁は、該第２外環凸部の溝内に嵌合することを特徴とする請求項５記載のＬＥＤ灯杯体の防水組み立て構造。
【請求項７】
前記第２内環凸部の第２緊密接合面上に溝を凹設し、且つ該第２防水パッドは、該溝内に緊迫することを特徴とする請求項１記載のＬＥＤ灯杯体の防水組み立て構造。
【請求項８】
前記第１内環凸部の第１緊密接合面上に溝を凹設し、且つ該第１防水パッドは、該溝内に緊迫することを特徴とする請求項１記載のＬＥＤ灯杯体の防水組み立て構造。
【請求項９】
導熱基板と、ＬＥＤユニットと、灯杯殻体と、透光灯マスクと、を含み、
該導熱基板は、その一表面上に環状を呈する固定ソケットを凸設し、該固定ソケット末端周囲の辺縁外側向きに第１外環凸部を延伸し、該第１外環凸部上面に第１緊密接合面を有し、且つ該第１外環凸部上に複数の凹溝を設けてなり、
該ＬＥＤユニットは、該固定ソケット内に位置し、該導熱基板と貼付される回路板と、該回路板上に設けられる複数の発光ダイオードと、を含み、
該灯杯殻体は、その内が中空を呈し、且つ二端が開口状であり、該灯杯殻体一端辺縁は、下向きに環頸部を延伸し、該環頸部内縁上に内向きに突出する第１内環凸部を形成し、該第１内環凸部底面に第１緊密接合面を有し、該環頸部末端周囲の辺縁上に内側向きに複数の凸塊を凸設し、該凸塊は、該凹溝と相対し、該第１内環凸部との間に第１間隔を形成し、該第１外環凸部は、前記第１間隔内で環フックし、且つ該第１外環凸部の第１緊密接合面と該第１内環凸部の第１緊密接合面の間に第１防水パッドを設けてなり、
該透光灯マスクは、該灯杯殻体の一端上に設けられることを特徴とするＬＥＤ灯杯体の防水組み立て構造。
【請求項１０】
前記導熱基板は、実心板であることを特徴とする請求項９記載のＬＥＤ灯杯体の防水組み立て構造。
【請求項１１】
前記導熱基板は、内が真空を呈し且つ作動流体を有する均一温度板であることを特徴とする請求項９記載のＬＥＤ灯杯体の防水組み立て構造。
【請求項１２】
前記第１外環凸部の第１緊密接合面上に溝を凹設し、且つ該第１防水パッドは、溝内に緊迫することを特徴とする請求項９記載のＬＥＤ灯杯体の防水組み立て構造。
【請求項１３】
前記第１外環凸部の第１緊密接合面上に溝を凹設し、且つ該第１防水パッドは、該溝内に緊迫することを特徴とする請求項９記載のＬＥＤ灯杯体の防水組み立て構造。
【請求項１４】
導熱基板と、ＬＥＤユニットと、灯杯殻体と、透光灯マスクと、を含み、
該ＬＥＤユニットは、該導熱基板と貼付される回路板と、該回路板上に設けられる複数の発光ダイオードと、を含み、
該灯杯殻体は、その内が中空を呈し、且つ二端が開口状であり、該灯杯殻体一端が該導熱基板上に設けられ、一端は、外側に向かって第２外環凸部を形成し、該第２外環凸部上面に第２緊密接合面を有し、且つ該第２外環凸部上に複数の凸塊を設けてなり、
該透光灯マスクは、レンズと、該レンズ周囲に設けるフレーム部と、を有し、該フレーム部内縁上に内向きに突出する第２内環凸部を形成し、該第２内環凸部底面に第２緊密接合面を有し、且つ該フレーム部末端周囲の辺縁上に内側向きに複数の凸塊を凸設し、該凸塊が該凹溝と相対し、該第２内環凸部との間に第２間隔を形成し該第２外環凸部は、前記第２間隔内に環フックし、且つ該第２外環凸部の第２緊密接合面は、該第２内環凸部の第２緊密接合面との間に第２防水パッドを設けることを特徴とするＬＥＤ灯杯体の防水組み立て構造。
【請求項１５】
前記導熱基板は、実心板であることを特徴とする請求項１４記載のＬＥＤ灯杯体の防水組み立て構造。
【請求項１６】
前記導熱基板は、内が真空を呈し且つ作動流体を有する均一温度板であることを特徴とする請求項１４記載のＬＥＤ灯杯体の防水組み立て構造。
【請求項１７】
前記第２外環凸部の第２緊密接合面上に溝を凹設し、且つ該第２防水パッドは、該第２外環凸部の第２緊密接合面上の溝内に緊迫することを特徴とする請求項１４記載のＬＥＤ灯杯体の防水組み立て構造。
【請求項１８】
前記第２内環凸部上に環状凸縁を凸設し、該環状凸縁上面に該第２内環凸部の第２緊密接合面を形成し、且つ該環状凸縁は、該第２外環凸部の溝内に嵌合することを特徴とする請求項１７記載のＬＥＤ灯杯体の防水組み立て構造。
【請求項１９】
前記第２内環凸部の第２緊密接合面上に溝を凹設し、且つ該第２防水パッドは、該溝内に緊迫することを特徴とする請求項１４記載のＬＥＤ灯杯体の防水組み立て構造。
【請求項２０】
前記第２外環凸部上に環状凸縁を設け、該環状凸縁上面に該第２外環凸部の第２緊密接合面を形成し、且つ該環状凸縁は、該第２内環凸部の溝内に勘合することを特徴とする請求項１９記載のＬＥＤ灯杯体の防水組み立て構造。
【考案の詳細な説明】
【技術分野】
【０００１】
本考案は、ＬＥＤ灯器具に関し、分解組み立て可能なＬＥＤ灯杯体の防水組み立て構造に関する。
【背景技術】
【０００２】
発光ダイオード（ＬＥＤ）は、明度が高い、省電力、寿命が長い等の多くの利点を有し、昨今既に各式照明器具上に幅広く応用され、従来の電球又は灯管に取って代わっている。しかしながら、ＬＥＤが戸外の照明具に応用される光源を利用する時、往々にして防水等の問題を生じ、解決する必要がある。
【０００３】
よく見る防水手段は、２つの相互に螺合する部材間に防水パッドを加えるものである。簡単に言えば、灯杯体と灯ソケットとの間に前記防水パッドを緊迫し、該防水パッドを介して灯杯体と灯ソケット間に組み立てにおいて発生する隙間を塞ぎ、防水効果を達成する。また、防水ゲルで粘着し、水分の進入を効率的に防止するが、分解することができず、灯具内のＬＥＤに故障等の問題が発生した時、交換することができない。
【０００４】
従って、交換、分解可能である要求を鑑みた状況において、前記防水パッドにより防水効果を達成する手段は、依然として良く見られるものに属する。但し、一般的螺合構造の防水パッドの組み合わせは、その組み立てにおいて、螺合時にねじ込む緊迫度により防水パッドを圧迫させ、防水効果を有する。但し、螺合構造は、微小な逆回転を発生し易く、防水パッドが緊迫される力量を減少させ、隙間を生じ、特に、分解、組み立て動作を経た後、更に水分を隙間から進入させ易く、防水効果を喪失する要因となる。
【先行技術文献】
【特許文献】
【０００５】
【特許文献１】実用新案登録第３１２６６２８号公報
【考案の概要】
【考案が解決しようとする課題】
【０００６】
本考案の目的は、ＬＥＤ灯杯体の環フックを介した構造設計であり、ＬＥＤ灯杯体を灯ソケット又は灯マスク間の組み立て、分解において容易にするだけでなく、さらに外から内に向けて環フックを呈する構造設計を有し、且つ環フックした後、微小な逆回転を発生せず、水分の進入を効率的に防止し、良好な防水効果を達成するＬＥＤ灯杯体の防水組み立て構造を提供することである。
【課題を解決するための手段】
【０００７】
上記の目的を達成するため、本考案が提供するＬＥＤ灯杯の防水組み立て構造は、導熱基板と、ＬＥＤユニットと、灯杯殻体と、透光灯マスクと、を含む。導熱基板は、一表面上に環状を呈する固定ソケットを凸設し、固定ソケット末端周囲の辺縁が外側に向かって第１外環凸部を延伸し、第１外環凸部上面に第１緊密接合面を有し、且つ第１外環凸部上に複数の凹溝を設ける。
ＬＥＤユニットは、固定ソケット内に位置し、導熱基板と相互に貼付する回路板、及び回路板上に設けられる複数の発光ダイオードを含む。灯杯殻体内は、中空を呈し、且つ二端は、開口状であり、灯杯殻体一端辺縁が下向きに環頸部を延伸し、環頸部内縁上に内向き突出する第１内環凸部を形成し、第１内環凸部底面に第１緊密接合面を有し、環頸部末端周囲の辺縁上に内側向きに複数の凸塊を凸設し、各凸塊は、各凹溝と相互に対応し、第１内環凸部との間に第１間隔を形成し、第１外環凸部は、第１間隔内で環フックし、且つ第１外環凸部の第１緊密接合面と第１内環凸部の第１緊密接合面との間に第１防水パッドを設ける。透光灯マスクは、灯杯殻体のもう一端上に設けられる。
【０００８】
上記の目的を達成する為、本考案が提供するＬＥＤ灯杯体の防水組み立て構造は、導熱基板と、ＬＥＤユニットと、灯杯殻体と、透光灯マスクと、を含む。ＬＥＤユニットは、導熱基板と相互に貼付する回路板、及び回路板上に設けられる複数の発光ダイオードを含む。灯杯殻体内は、中空を呈し、且つ二端は、開口状であり、灯杯殻体一端が導熱基板上に設けられ、一端は、外側向きに第２外環凸部を延伸し、第２外環凸部上面に第２緊密接合面、及びレンズ周囲に環状に設けられるフレーム部を有し、フレーム部上に内向きに突出する第２内環凸部を形成し、第２内環凸部底面に第２緊密接合面を有し、且つフレーム部末端周囲の辺縁上に内側向きに複数の凸塊を凸設し、各凸塊は、各凹溝と相互に対応し、第２内環凸部との間に第２間隔を形成し、第２外環凸部は、第２間隔内で環フックし、且つ第２外環凸部の第２緊密接合面と第２内環凸部の第２緊密接合面との間に第２防水パッドを設ける。
【０００９】
すなわち、請求項１の考案は、ＬＥＤ灯杯体の防水組み立て構造において、導熱基板と、ＬＥＤユニットと、灯杯殻体と、透光灯マスクと、を含み、該導熱基板は、その一表面上に環状を呈する固定ソケットを凸設し、該固定ソケット末端周囲の辺縁外側向きに第１外環凸部を延伸し、該第１外環凸部上面に第１緊密接合面を有し、且つ該第１外環凸部上に複数の凹溝を設けてなり、該ＬＥＤユニットは、該固定ソケット内に位置し、該導熱基板と貼付される回路板と、該回路板上に設けられる複数の発光ダイオードとを含み、該灯杯殻体は、その内が中空を呈し、且つ二端が開口状であり、該灯杯殻体一端辺縁は、下向きに環頸部を延伸し、該環頸部内縁上に内向きに突出する第１内環凸部を形成し、該第１内環凸部底面に第１緊密接合面を有し、該環頸部末端周囲の辺縁上に内側向きに複数の凸塊を凸設し、該環頸部の複数の凸塊は、該第１外環凸部の複数の凹溝と相対し、該第１内環凸部との間に第１間隔を形成し、該第１外環凸部は、前記第１間隔内で環フックし、且つ該第１外環凸部の第１緊密接合面と該第１内環凸部の第１緊密接合面の間に第１防水パッドを設けてなり、該透光灯マスクは、レンズと、該レンズ周囲に設けるフレーム部と、を有し、該フレーム部内縁上に内向きに突出する第２内環凸部を形成し、該第２内環凸部底面に第２緊密接合面を有し、且つ該フレーム部末端周囲の辺縁上に内側向きに複数の凸塊を凸設し、該フレームの複数の凸塊が該第２内環凸部との間に第２間隔を形成してなり、
そのうち、該灯杯殻体の他端は外側に向かって第２外環凸部を延伸し、該第２外環凸部上面に第２緊密接合面を有し、且つ該第２外環凸部上に複数の凹溝を設け、上記フレーム部の複数の凸塊は、該第２外環凸部の複数の凹溝と相応し、該第２外環凸部は、前記第２間隔内に環フックし、且つ該第２外環凸部の第２緊密接合面は、該第２内環凸部の第２緊密接合面との間に第２防水パッドを設けることを特徴とする。
【００１０】
請求項２の考案は、請求項１記載のＬＥＤ灯杯体の防水組み立て構造は、前記導熱基板は、実心板であることを特徴とする。
請求項３の考案は、請求項１記載のＬＥＤ灯杯体の防水組み立て構造は、前記導熱基板は、内が真空を呈し且つ作動流体を有する均一温度板であることを特徴とする。
請求項４の考案は、請求項１記載のＬＥＤ灯杯体の防水組み立て構造において、  前記第１外環凸部の第１緊密接合面上に溝を凹設し、且つ該第１防水パッドは、該溝内に緊迫することを特徴とする。
請求項５の考案は、請求項１記載のＬＥＤ灯杯体の防水組み立て構造において、前記第２外環凸部の第２緊密接合面上に溝を凹設し、且つ該第２防水パッドは、該第２外環凸部の第２緊密接合面上の溝内に緊迫することを特徴とする。
請求項６の考案は、請求項５記載のＬＥＤ灯杯体の防水組み立て構造において、前記第２内環凸部上に環状凸縁を凸設し、該環状凸縁上面に該第２内環凸部の第２緊密接合面を形成し、且つ該環状凸縁は、該第２外環凸部の溝内に嵌合することを特徴とする。
請求項７の考案は、請求項１記載のＬＥＤ灯杯体の防水組み立て構造において、前記第２内環凸部の第２緊密接合面上に溝を凹設し、且つ該第２防水パッドは、該溝内に緊迫することを特徴とする。
請求項８の考案は、請求項１記載のＬＥＤ灯杯体の防水組み立て構造において、前記第１内環凸部の第１緊密接合面上に溝を凹設し、且つ該第１防水パッドは、該溝内に緊迫することを特徴とする。
【００１１】
請求項９の考案は、ＬＥＤ灯杯体の防水組み立て構造において、導熱基板と、ＬＥＤユニットと、灯杯殻体と、透光灯マスクと、を含み、該導熱基板は、その一表面上に環状を呈する固定ソケットを凸設し、該固定ソケット末端周囲の辺縁外側向きに第１外環凸部を延伸し、該第１外環凸部上面に第１緊密接合面を有し、且つ該第１外環凸部上に複数の凹溝を設けてなり、該ＬＥＤユニットは、該固定ソケット内に位置し、該導熱基板と貼付される回路板と、該回路板上に設けられる複数の発光ダイオードとを含み、該灯杯殻体は、その内が中空を呈し、且つ二端が開口状であり、該灯杯殻体一端辺縁は、下向きに環頸部を延伸し、該環頸部内縁上に内向きに突出する第１内環凸部を形成し、該第１内環凸部底面に第１緊密接合面を有し、該環頸部末端周囲の辺縁上に内側向きに複数の凸塊を凸設し、該凸塊は、該凹溝と相対し、該第１内環凸部との間に第１間隔を形成し、該第１外環凸部は、前記第１間隔内で環フックし、且つ該第１外環凸部の第１緊密接合面と該第１内環凸部の第１緊密接合面の間に第１防水パッドを設けてなり、該透光灯マスクは、該灯杯殻体の一端上に設けられることを特徴とする。
【００１２】
請求項１０の考案は、請求項９記載のＬＥＤ灯杯体の防水組み立て構造において、前記導熱基板は、実心板であることを特徴とする。
請求項１１の考案は、請求項９記載のＬＥＤ灯杯体の防水組み立て構造において、前記導熱基板は、内が真空を呈し且つ作動流体を有する均一温度板であることを特徴とする。
請求項１２の考案は、請求項９記載のＬＥＤ灯杯体の防水組み立て構造において、前記第１外環凸部の第１緊密接合面上に溝を凹設し、且つ該第１防水パッドは、溝内に緊迫することを特徴とする。
請求項１３の考案は、請求項９記載のＬＥＤ灯杯体の防水組み立て構造において、前記第１外環凸部の第１緊密接合面上に溝を凹設し、且つ該第１防水パッドは、該溝内に緊迫することを特徴とする。
【００１３】
請求項１４の考案は、請求項９記載のＬＥＤ灯杯体の防水組み立て構造において、導熱基板と、ＬＥＤユニットと、灯杯殻体と、透光灯マスクとを含み、該ＬＥＤユニットは、該導熱基板と貼付される回路板と、該回路板上に設けられる複数の発光ダイオードとを含み、該灯杯殻体は、その内が中空を呈し、且つ二端が開口状であり、該灯杯殻体一端が該導熱基板上に設けられ、一端は、外側に向かって第２外環凸部を形成し、該第２外環凸部上面に第２緊密接合面を有し、且つ該第２外環凸部上に複数の凸塊を設けてなり、該透光灯マスクは、レンズと、該レンズ周囲に設けるフレーム部と、を有し、該フレーム部内縁上に内向きに突出する第２内環凸部を形成し、該第２内環凸部底面に第２緊密接合面を有し、且つ該フレーム部末端周囲の辺縁上に内側向きに複数の凸塊を凸設し、該凸塊が該凹溝と相対し、該第２内環凸部との間に第２間隔を形成し該第２外環凸部は、前記第２間隔内に環フックし、且つ該第２外環凸部の第２緊密接合面は、該第２内環凸部の第２緊密接合面との間に第２防水パッドを設けることを特徴とする。
【００１４】
請求項１５の考案は、請求項１４記載のＬＥＤ灯杯体の防水組み立て構造において、前記導熱基板は、実心板であることを特徴とする。
請求項１６の考案は、請求項１４記載のＬＥＤ灯杯体の防水組み立て構造において、  前記導熱基板は、内が真空を呈し且つ作動流体を有する均一温度板であることを特徴とする。
請求項１７の考案は、請求項１４記載のＬＥＤ灯杯体の防水組み立て構造において、前記第２外環凸部の第２緊密接合面上に溝を凹設し、且つ該第２防水パッドは、該第２外環凸部の第２緊密接合面上の溝内に緊迫することを特徴とする。
請求項１８の考案は、請求項１７記載のＬＥＤ灯杯体の防水組み立て構造において、前記第２内環凸部上に環状凸縁を凸設し、該環状凸縁上面に該第２内環凸部の第２緊密接合面を形成し、且つ該環状凸縁は、該第２外環凸部の溝内に嵌合することを特徴とする。
請求項１９の考案は、請求項１４記載のＬＥＤ灯杯体の防水組み立て構造において、前記第２内環凸部の第２緊密接合面上に溝を凹設し、且つ該第２防水パッドは、該溝内に緊迫することを特徴とする。
請求項２０の考案は、請求項１９記載のＬＥＤ灯杯体の防水組み立て構造において、前記第２外環凸部上に環状凸縁を設け、該環状凸縁上面に該第２外環凸部の第２緊密接合面を形成し、且つ該環状凸縁は、該第２内環凸部の溝内に勘合することを特徴とする。
【考案の効果】
【００１５】
本考案のＬＥＤ灯杯体の防水組み立て構造によって、灯杯殻体３が導熱基板１又は透光灯マスク４との間の組み立て、分解において、いずれも比較的容易であると同時に、灯杯殻体３の環頸部３１又は透光灯マスク４のフレーム部４１を介して、外から内向きに環フックを呈する構造設計によって、灯杯殻体３を導熱基板１又は透光灯マスク４と環フックした後、微小な逆回転が発生することにより第１、第２防水パッド３１４，３０３が緊迫される力量が減少し、隙間が発生する等の問題が生じることがなく、水分の侵入を効率的に防止し、良好な防水効果を達成する。
【図面の簡単な説明】
【００１６】
【図１】本考案の立体分解外観図である。
【図２】本考案の平面組み合わせ断面図である。
【図３】図２のＡ部分の拡大図である。
【図４】図２のＢ部分の拡大図である。
【考案を実施するための形態】
【００１７】
本考案の特徴及び技術的内容をより分かり易くするため、以下に図面に併せて詳細に説明を行うが、図面は、参考及び説明用であり、本考案を制限するものではない。
図１及び図２は、それぞれ本考案の立体分解外観図及び平面組み合わせ断面図である。本考案が提供するＬＥＤ灯とその杯体の防水組み立て構造は、導熱基板１と、ＬＥＤユニット２と、灯杯殻体３と、透光灯マスク４と、を含む。そのうち、前記ＬＥＤユニット２は、導熱基板１上に貼付され、該導熱基板１を介してＬＥＤのヒートシンクを提供する。
灯杯殻体３は、ＬＥＤユニット２の外に覆うように設けられ、灯杯殻体３の一端は、導熱基板１と相互に組み合わさり、もう一端は、透光灯マスク４をその上に組み合わせ、ＬＥＤユニット２を灯杯殻体３内から光源を投射することができ、透光灯マスク４に向けて光源を灯杯殻体３外に投射する。
【００１８】
該導熱基板１は、アルミ又は銅等の導熱性が良好な金属材質から形成される実心板、又は内が真空を呈し且つ作動流体を有する均一温度板とすることができる。導熱基板１は、上記ＬＥＤユニット２を貼付させる表面上は、環状を呈する固定ソケット１０を凸設し、該固定ソケット１０末端周囲の辺縁から外側向きに第１外環凸部１１を延伸し、該第１外環凸部１１上面に第１緊密接合面１１０を有し、且つ該第１外環凸部１１上に均一部配置する複数の凹溝１１１を設け、上記灯杯殻体３と分解可能な組み立て、及び組み立て後の緊密接合接触をなすことに用いる。
【００１９】
該ＬＥＤユニット２は、回路板２０、及び該回路板２０上に設けられる複数の発光ダイオード２１を含む。前記のように、該ＬＥＤユニット２は、導熱基板１上に貼付され、該ＬＥＤユニット２の回路板２０を導熱基板１と相互に貼付させ、導熱基板１の固定ソケット１０内に位置し、灯杯殻体３を弧千恵ソケット１０上に組み付ける時、該ＬＥＤユニット２外周囲を覆うように設けられる。
【００２０】
該灯杯殻体３は、杯状形状とすることができ、内が中空を呈し且つ二端が開口状であり、そのうち、開口が比較的小さい一端は、導熱基板１と組み合わされ、開口が比較的大きい他端は、透光灯マスク４をその上に組み合わせる。
図２、図３に示すように、ＬＥＤ灯杯体の環フックを介した構造設計ついて、該灯杯殻体３の比較的小さい一端の辺縁は、下向きに環頸部３１を延伸し、該環頸部３１内縁上に内向き突出する第１内環凸部３１０を形成し、該第１内環凸部３１０底面に第１緊密接合面３１１を有し、該第１緊密接合面３１１上に溝３１２を凹設する。また、該環頚部３１末端周囲の辺縁上には、均一に配置される複数の凸塊３１３を凸設し、且つ該凸塊３１３は、上記第１外環凸部１１の複数の凹溝１１１と相対し、第１内環凸部３１０との間に第１間隔ｄ1を形成し（図３参照）、該第１間隔ｄ1と第１外環凸部１１の厚さに相当する。
従って、灯杯殻体３を環頸部３１上の各凸塊３１３を介して、第１外環凸部１１の複数の凹溝１１１内に対応させ、第１外環凸部１１を前記第１間隔ｄ1内に環フックさせ、且つ第１外環凸部１１の第１緊密接合面１１０は、第１内環凸部３１０の第１緊密接合面３１１と相互に重なり緊密接合し、二者間に第１防水パッド３１４を設け、導熱基板１と灯杯殻体３間の防水効果を提供する。同時に、該第１防水パッド３１４は、更に溝３１２内に圧迫して気密に緊迫することができ、該溝３１２は、第１外環凸部１１の第１緊密接合面１１０上に位置することもできる。
【００２１】
図１、図２、図４に示すように、該灯杯殻体３の比較的大きなもう一端の辺縁は、外側に向かって第２外環凸部３０を延伸し、該第２外環凸部３０上に環状凸縁３００を凸設でき、該環状凸縁３００上面から第２緊密接合面３０１を形成する。同時に、該第２外環凸部３０上に均一に配置した複数の凹溝３０２を設け、上記透光灯マスク４と分解可能な組み立て、及び組み立て後の緊密接触をなすことに用いることができる。
【００２２】
図１、図２、図４に示すように、該透光灯マスク４は、上記灯杯殻体３の比較的大きなもう一端上に覆うように設けられる。透光灯マスク４は、レンズ４０、及び該レンズ４０周囲に設けるフレーム部４１を有し、該フレーム部４１内縁上に内向きに突出する第２内環凸部４１０を形成し、該第２内環凸部４１０底面に第２緊密接合面４１１を有し、該第２緊密接合面４１１上に溝４１２を凹設する。
また、該フレーム部４１末端周囲の辺縁上には、内側向きに均一配置する複数の凸塊４１３を凸設し、且つ該凸塊４１３は、上記灯杯殻体３の第２外環凸部３０上の複数の凹溝３０２と相対し、第２内環凸部４１０と第２間隔ｄ2を形成し（図４参照）、該第２間隔ｄ2と第２外環凸部３０の厚さに相当する。
従って、透光灯マスク４をフレーム部４１上の各凸塊４１３を介して、第２外環凸部３０の複数の凹溝３０２内に対応させ、第２外環凸部３０を前記第２間隔ｄ2内に環フックさせ、且つ第２外環凸部３０の環状凸縁３００は、第２内環凸部４１０の溝４１２に嵌合し、二者の第２緊密接合面３０１，４１１を相互に重ね合わせ緊密接合し、二者間に第２防水パッド３０３を設け、透光灯マスク４と灯杯殻体３間の防水効果を提供する。同時に、該第２防水パッド３０３は、更に溝４１２内に更に緊迫することができる。環状凸縁３００は、第２外環凸部４１０の第２緊密接合面４１１上に位置することもでき、該溝４１２を第２外環凸部３０の第２緊密接合面３０１上に配置することもできる。
【００２３】
上記の構造の組み立てによって、本考案のＬＥＤ灯杯体の防水組み立て構造を得ることができる。
本考案のＬＥＤ灯杯体の防水組み立て構造によって、灯杯殻体３が導熱基板１又は透光灯マスク４との間の組み立て、分解において、いずれも比較的容易であると同時に、灯杯殻体３の環頸部３１又は透光灯マスク４のフレーム部４１を介して、外から内向きに環フックを呈する構造設計によって、灯杯殻体３を導熱基板１又は透光灯マスク４と環フックした後、微小な逆回転が発生することにより第１、第２防水パッド３１４，３０３が緊迫される力量が減少し、隙間が発生する等の問題が生じることがなく、水分の侵入を効率的に防止し、良好な防水効果を達成する。
【００２４】
提示すべきことは、該灯杯殻体３は、導熱基板１と上記構造を介して防水組み立ての目的を達成するだけであることができ、透光灯マスク４は、一体に成型する等分解不可能な構造を採用することもできるということである。又は、透光灯マスク４と上記構造を介して防水組み立ての目的を達成するだけであり、導熱基板１は、一体に成型する等分解不可能な構造を採用することもできる。言い換えれば、そのうちの少なくとも１つは、本考案の防水組み立て構造を提供すればよい。
【００２５】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２６】
＜本考案＞
１      導熱基板
１０    固定ソケット
１１    第１外環凸部
１１０  第１緊密接合面
１１１  凹溝
２      ＬＥＤユニット
２０    回路板
２１    発光ダイオード
３      灯杯殻体
３０    第２外環凸部
３００  環状凸縁
３０１  第２緊密接合面
３０２  凹溝
３０３  第２防水パッド
３１    環頸部
３１０  第１内環凸部
３１１  第１緊密接合面
３１２  溝
３１３  凸塊
３１４  第１防水パッド
４      透光灯マスク
４０    レンズ
４１    フレーム部
４１０  第２内環凸部
４１１  第２緊密接合部
４１２  溝
４１３  凸塊
【図１】
0003153413.tif 000003
【図２】
0003153413.tif 000004
【図３】
0003153413.tif 000005
【図４】
0003153413.tif 000006